(57)【要約】【課題】コの字形の綴じ針を用いて複数枚の紙を綴じる卓上型ホッチキスにおいて、新聞のような大寸法の紙でも二つ折りすることなく中央部を容易に綴じることができるようにする。【解決手段】打込みユニットと針受けユニットとからなり、針受けユニットには、重ねた紙に裏面側から貫通させるガイド針と、綴じ針の両先端を受ける曲げ誘導部とを設け、打込みユニットには位置決め用係合部を設ける。そこで、ガイド針を紙の裏面側から貫通させ、紙の表面側で位置決め用係合部をそのガイド針に係合させることによって、綴じ針が曲げ誘導部の真上に位置するようにした。【選択図】図６
2018069436.tif 000002
【特許請求の範囲】
【請求項１】
コ字形の綴じ針（３）を用いて複数枚の紙を綴じる卓上型ホッチキスにおいて、
打込みユニット（１）と針受けユニット（２）とからなり、
前記打込みユニットは、複数の綴じ針（３）を収容する針収容手段（４）と、この針収容手段に収容された複数の綴じ針を該針収容手段の一端側から他端側へ付勢する針付勢手段（５）と、前記針収容手段の他端側にある綴じ針を上方から押して複数枚重ねた紙に貫通させる針打込み手段（７）と、この針打込み手段を上方向へ復帰させる引離し用付勢手段（８）と、位置決め用係合部（９）とを具備し、
前記針受けユニットは、複数枚重ねた紙に裏面側より貫通して紙の表面側で前記位置決め用係合部を係合させるガイド針（２０）と、このガイド針に前記位置決め用係合部が係合した状態で、前記針打込み手段に押された綴じ針の両先端を紙の裏面側で受けて該綴じ針の両先端を互いに接近する方向に誘導する曲げ誘導部（１９）とを具備したことを特徴とする卓上型ホッチキス。
【請求項２】
前記針受けユニットに設けられるガイド針を２本とし、前記打込みユニットの二か所に各ガイド針に係合可能な位置決め用係合部を設けたことを特徴とする請求項１に記載の卓上型ホッチキス。
【発明の詳細な説明】
【技術分野】
【０００１】  本発明は、大寸法の紙を複数枚重ねてほぼ中央部で綴じる場合に好適する構成簡単な卓上型ホッチキスに関する。
【背景技術】
【０００２】  コ字形の綴じ針を用いて複数枚の紙を綴じる卓上型ホッチキスが知られている。従来の卓上型ホッチキスは、たとえば特許５１５１７２５公報に見られるように、綴じ針（綴針Ｓ）を収容する針収容手段（収納部５）と、収容された綴じ針を複数枚重ねた紙に打込む針打込み手段（上側本体部７）と、曲げ誘導部（クリンチ部９）を有する針受け手段（ベース４）の三者を、それぞれの一端側において回動自在に連結して構成され、針受け手段を紙の裏面側に位置させ、紙の表面側から針打込み手段によって綴じ針を打込み、綴じ針の両先端を曲げ誘導部で受けて両先端を内側に曲げることにより、複数枚の紙を綴じるようにしている。【０００３】
【先行技術文献】
【特許文献】
【０００４】
【特許文献１】  特許５１５１７２５
【特許文献２】  特許５１２６７９７
【特許文献３】  特許４８１２７６１
【特許文献４】  特許４７１３５０３
【特許文献５】  特許４４８４８８９
【発明の概要】
【発明が解決しようとする課題】
【０００５】  従来の卓上型ホッチキスは、回動自在に連結された針収容手段と針受け手段との間に複数枚の紙を挟んで綴じ操作を行う構成となっている。そこで、たとえば新聞紙のように大寸法の紙を複数枚重ねたものを中央部で綴じたい場合には、紙の縁から綴じ位置まで届かないので、重ねた紙を二つ折りにし、その折り目近傍を綴じることになる。その結果、綴じ位置が浅い（折り目に近すぎる）と、中ほどの紙を綴じることができず、綴じ位置が深い（折り目から遠すぎる）と、紙面に書かれた文字の一部が隠れてしまうという問題があった。【０００６】  本発明は、このような問題を解決するためになされたもので、大寸法の紙を複数枚重ねたものを中央部で綴じたい場合でも、紙を二つ折りにすることなく容易に綴じることができる、構成簡単な卓上型ホッチキスを提供することを目的とする。
【課題を解決するための手段】
【０００７】  本発明に係る卓上型ホッチキスは打込みユニットと針受けユニットとからなる。【０００８】  打込みユニットは、複数の綴じ針を収容する針収容手段と、この針収容手段に収容された複数の綴じ針を該針収容手段の一端側から他端側へ付勢する針付勢手段と、前記針収容手段内の他端側にある綴じ針を上方から押して複数枚重ねた紙に貫通させる針打込み手段と、この打込み手段を上方向へ復帰させる引離し用付勢手段と、位置決め用係合部とを具備する。【０００９】  また、前記針受けユニットは、複数枚重ねた紙に裏面側より貫通して紙の表面側で前記位置決め用係合部を係合させるガイド針と、このガイド針に前記位置決め用係合部が係合した状態で、前記針打込み手段に押された綴じ針の両先端を紙の裏面側で受けて該綴じ針の両先端を互いに接近する方向に誘導する曲げ誘導部とを具備する。【００１０】  そこで、重ねた紙を裏返しにして前記ガイド針を貫通させ、紙の表面側において前記打込みユニットの位置決め用係合部を前記ガイド針に係合させると、前記針打込み手段で押された綴じ針の両先端を前記曲げ誘導部で受けることができる。【００１１】  前記針受けユニットに設けられるガイド針を２本とし、前記打込みユニットの二か所に、各ガイド針に係合可能な位置決め用係合部を設けるとよい。
【発明の効果】  本発明の卓上型ホッチキスによれば、打込みユニットと針受けユニットからなる極めて簡単な構成により、所期の効果を得ることができる。すなわち、針受けユニット側のガイド針に、打込みユニット側の位置決め用係合部を係合させることにより、綴じ針が曲げ誘導部の真上に位置するようにすることで、新聞のような大寸法の紙を複数枚重ねたものを中央部で綴じたい場合でも、紙を二つ折りにすることなく任意の位置で容易に綴じることができる。【００１２】  また、前記針受けユニットに設けられるガイド針を２本とし、打込みユニットの二か所に各ガイド針に係合可能な位置決め用係合部を設けると、打込みユニットが曲げ誘導部に対して二か所で位置決めされることになるので、針収容手段内の綴じ針を前記曲げ誘導部に対してより正確に位置決めすることができる。
【図面の簡単な説明】
【００１３】
【図１】本発明の一実施形態における打込みユニットの縦断面図である。
【図２】針受けユニットの縦断面図である。
【図３】針収容手段先端部の平面図である。
【図４】綴じ針の両先端を曲げ誘導部で受けた状態を一部断面にて示す正面図である。
【図５】綴じ針を曲げ誘導部で曲げて複数枚の紙を綴じた状態を一部断面にて示す正面図である。
【図６】針受けユニットの使用状態を示す断面図である。
【図７】他の実施形態における針収容手段の一部平面図である。
【図８】さらに他の実施形態における針受けユニットの断面図である。
【発明を実施するための形態】
【００１４】  図１ないし図６は、この発明に係る卓上ホッチキスの一実施形態を示すもので、この卓上ホッチキスは図１に示す打込みユニット１と、図２に示す針受けユニット２とから構成される。
【００１５】  打込みユニット１は、複数の綴じ針３を収容する針収容手段４と、収容された複数の綴じ針３を針収容手段４の一端側から他端側へ付勢する針付勢手段５と、その一端側を前記針収容手段４の一端側に連結軸６を介して回動自在に連結された打込み手段７と、この打込み手段７の他端側を前記針収容手段４の他端側から引離す方向（上方向）に付勢する板ばね製の引離し用付勢手段８とを有する。
【００１６】  前記針収容手段４の他端側先端には、たとえば図３に示すようなＶ形の位置決め用係合部９が形成されている。
【００１７】  前記針付勢手段５は、針収容手段４内にスライド自在に設けられたスライド片１０と、このスライド片１０を針収容手段４の一端側から他端側へ付勢する引張りばね１１とで構成され、スライド片１０によって、針収容手段４内に収容された複数の綴じ針３を針収容手段４の一端側から他端側へ向けて押圧するものである。
【００１８】  前記打込み手段７は、その他端側に針打込み部１２を有する。この針打込み部１２は、前記引離し用付勢手段８を構成する板ばねの一端部を下方に折り曲げて形成され、その下端で、前記針収容手段４内の他端側に位置する綴じ針３を上から押して、該綴じ針３を複数枚重ねた紙１３（図４参照）に打込み貫通させるものである。
【００１９】  また、前記針受けユニット２は、図２に示すように針受け手段１４および位置決め手段１５の各一端側を、連結軸１６を介して回動自在に連結し、該針受け手段１４および位置決め手段１５の各他端側を離反させる方向に付勢する展開ばね製の復帰用付勢手段１７を設けると共に、この復帰用付勢手段１７に抗して前記針受け手段１４を前記位置決め手段１５に接近した位置に仮保持する仮保持手段１８を設けた構成となっている。
【００２０】  前記仮保持手段１８は、位置決め手段１５の両側に凸部を設け、この凸部を針受け手段１４の両側縁に係合させることにより、前記復帰用付勢手段１７に抗して、両手段１４，１５を接近位置に仮保持する構成となっている（図６参照）。
【００２１】  前記針受け手段１４の他端側には曲げ誘導部１９が設けられている。この曲げ誘導部１９は、図４，図５に示す如く、複数枚の紙１３を貫通した綴じ針３の両先端を紙１３の裏面側で受けて、これら両先端を内側（互いに接近する方向）に誘導する形状をなす。
【００２２】  前記位置決め手段１５の他端側にはガイド針２０が設けられている。このガイド針２０は、前記曲げ誘導部１９の近傍位置において、重ねた紙１３に裏面側より貫通して、前記打込みユニット１を、曲げ誘導部１９に対して位置決めするものである。
【００２３】  以上の如く構成された卓上型ホッチキスを用いて、たとえば新聞紙のような大寸法の紙１３を重ねて、ほぼ中央部で綴じるには、次のようにする。
【００２４】  まず複数枚重ねた紙１３を、作業台２２等の縁に裏返しにして置き、その上に針受けユニット２を、針受け手段１４を下側にして置く。
【００２５】  そして位置決め手段１５の他端側を復帰用付勢手段１７に抗して押して、図６のように、ガイド針２０を、重ねた紙１３に貫通させる。
【００２６】  このとき、針受け手段１４と位置決め手段１５は、仮保持機構１８により、互いの他端側を接近させた状態に保持される。
【００２７】  この状態で、重ねた紙１３を反転し、紙１３の表面上で、図３の如く、針収容手段４先端に設けられた位置決め用係合部９を前記ガイド針２０に側方より係合させると、打込みユニット１が曲げ誘導部１９に対して位置決めされて、針収容手段４の他端側に位置する綴じ針３が曲げ誘導部２１の真上に位置するようになる。
【００２８】  そこで、引離し用付勢手段８に抗して打込み手段７を下方へ回動し、その針打込み部１２で他端側の綴じ針３を押すと、図４のように綴じ針３が重ねた紙１３を貫通し、さらに図５のように、綴じ針３の両先端が曲げ誘導部２１に沿って互いに接近する方向に曲げられて、重ねた紙１３を綴じることができる。
【００２９】  次に、図７は本発明の他の実施形態を示すもので、前記の実施形態と異なるのは、位置決め手段１５の先端部に左右一対のガイド針２０ａ，２０ｂを設け、針収容手段４の先端には、各ガイド針２０ａ，２０ｂに対応する左右一対の位置決め用係合部２１ａ，２１ｂを設けた点である。両ガイド針２０ａ，２０ｂは、位置決め手段１５を針受け手段１４に接近させたとき、前記曲げ誘導部１９の左右に位置するものとする。
【００３０】  左右一対の位置決め用係合部２１ａ，２１ｂは、各ガイド針２０ａ，２０ｂに係合したとき、それらのガイド針２０ａ，２０ｂを最も他端側に位置する綴じ針３の左右に位置させる。
【００３１】  この実施形態によれば、前記ガイド針２０ａ，２０ｂが曲げ誘導部１９の左右位置にあるので、たとえば複数枚重ねて半分に折り畳まれた新聞を、その折り目の上で綴じたい場合には、２本のガイド針２０ａ，２０ｂを折り目上に貫通させることにより、これらに左右の位置決め用係合部２１ａ，２１ｂを係合させたとき他端側の綴じ針３が、正確に、折り目の位置で綴じることができる。
【００３２】  図８は本発明の更に他の実施形態を示すものである。この実施形態は針受けユニット２の変形例であって、単一の針受けブロック２２に、２本のガイド針２０ａ，２０ｂと曲げ誘導部１９とを一体に設けるものとする。曲げ誘導部１９は２本のガイド針２０ａ，２０ｂの中央に位置させる。
【００３３】  また、針収容手段４には、図７の実施形態と同様に、各ガイド針２０ａ，２０ｂに対応する左右一対の位置決め用係合部２１ａ，２１ｂを設けるものとする。
【００３４】  この実施形態によれば、重ねた紙１３を折り目上で綴じたいとき、先ず、針受けブロックを持って２本のガイド針２０ａ，２０ｂを折り目の位置に貫通させる。
【００３５】  次に、紙３の表面側で左右一対の位置決め用係合部２１ａ，２１ｂを各ガイド針２０ａ，２０ｂに係合させると、綴じ針３の両先端が折り目の位置を貫通し、曲げ誘導部１９によって曲げられて、複数枚の紙３を折り目の位置で綴じることができる。
【００３６】  更に、図示はしないが、別の実施形態として、打込みユニット１の針収容手段４と針打込み手段７とを、綴じ針３の打込み方向（上下方向）に進退自在に連結してもよい。
【００３７】  また、針打込み手段７を針収容手段４に対して上下動自在に連結した場合、位置決め用係合部２１ａ，２１ｂは針収容手段４側に設けることも可能となる。
【符号の説明】
【００３８】１    打込みユニット
２    針受けユニット
３    綴じ針
４    針収容手段
５    針押し用付勢手段
７    針打込み手段
８    引離し用付勢手段
９    位置決め用係合部
１２  針打込み部
１４  針受け手段
１５  位置決め手段
１７  復帰用付勢手段
１８  仮保持手段
１９  曲げ誘導部
２０，２０ａ，２０ｂ  ガイド針
２１ａ，２１ｂ  位置決め用係合部
【図１】
2018069436.tif 000003
【図２】
2018069436.tif 000004
【図３】
2018069436.tif 000005
【図４】
2018069436.tif 000006
【図５】
2018069436.tif 000007
【図６】
2018069436.tif 000008
【図７】
2018069436.tif 000009
【図８】
2018069436.tif 000010